(57)【特許請求の範囲】
【請求項１】
通信相手から送信されたデータを受信する受信手段と、
前記受信手段によって受信されたデータの種別を検出する検出手段と、
予め記憶されている複数のデータの中から、前記検出手段によって検出されたデータの種別に対応付けられている送信データを特定する特定手段と、
前記特定手段によって特定された送信データを送信するか否かを確認する確認情報を表示する表示手段と、
前記表示手段によって表示された確認情報に基づいて、送信データの送信を指示する指示手段と、
前記指示手段によって送信が指示された場合に、前記受信手段によって受信した通信相手に対して、前記特定手段によって特定された送信データを送信する送信手段と
を備えることを特徴とする通信端末装置。
【請求項２】
通信相手から送信されたデータを受信する複数の受信手段と、
前記複数の受信手段のいずれかによってデータを受信した場合に、そのデータの受信に用いられた受信手段を検出する検出手段と、
予め記憶されている複数のデータの中から、前記検出手段によって検出された受信手段に対応付けられている送信データを特定する特定手段と、
前記特定手段によって特定された送信データを送信するか否かを確認する確認情報を表示する表示手段と、
前記表示手段によって表示された確認情報に基づいて、送信データの送信を指示する指示手段と、
前記指示手段によって送信が指示された場合に、前記受信手段によって受信した通信相手に対して、前記特定手段によって特定された送信データを送信する送信手段と
を備えることを特徴とする通信端末装置。
【請求項３】
送信データを送信する通信相手の変更を指示する通信相手変更指示手段を更に備え、
前記送信手段は、前記通信相手変更指示手段から変更指示があった場合、前記特定手段によって特定された送信データを、変更指示があった通信相手に対して送信することを特徴とする請求項１または２に記載の通信端末装置。
【請求項４】
前記送信手段を含む複数の送信手段と、
送信データを送信するために用いる送信手段の変更を指示する送信手段変更指示手段とを更に備え、
前記送信手段変更指示手段から変更指示があった場合、変更指示があった送信手段によって、前記特定手段によって特定された送信データを送信することを特徴とする請求項１または２に記載の通信端末装置。
【請求項５】
通信端末装置の通信プログラムであって、
コンピュータに、
通信相手から送信されたデータを受信する受信機能、
前記受信されたデータの種別を検出する検出機能、
予め記憶されている複数のデータの中から、前記検出されたデータの種別に対応付けられている送信データを特定する特定機能、
前記特定された送信データを送信するか否かを確認する確認情報を表示する表示機能、
前記表示された確認情報に基づいて、送信データの送信を指示する指示機能、
前記送信が指示された場合に、前記受信したデータの通信相手に対して、前記特定された送信データを送信する送信機能
を実現させることを特徴とする通信プログラム。
【請求項６】
通信端末装置の通信プログラムであって、
コンピュータに、
通信相手から送信されたデータを受信する複数の受信機能、
前記複数の受信機能のいずれかによってデータを受信した場合に、そのデータの受信に用いられた受信機能を検出する検出機能、
予め記憶されている複数のデータの中から、前記検出された受信機能に対応付けられている送信データを特定する特定機能、
前記特定された送信データを送信するか否かを確認する確認情報を表示する表示機能、
前記表示された確認情報に基づいて、送信データの送信を指示する指示機能、
前記送信が指示された場合に、前記受信したデータの通信相手に対して、前記特定された送信データを送信する送信機能
を実現させることを特徴とする通信プログラム。
【発明の詳細な説明】
【技術分野】
【０００１】
本発明は、通信端末装置及び通信プログラムに関する。
【背景技術】
【０００２】
従来、携帯電話などの通信端末装置においては、移動体通信、赤外線通信、無線ＬＡＮ通信、有線通信など各種の通信手段を用いて、プロフィールデータ、スケジュールデータ、画像データ、音楽データなど各種のデータを送受信することが行われている。一例としては、赤外線などの近距離通信を利用して互いのプロフィールデータを送受信する名刺交換機能が実用化されている。
【０００３】
上記情報交換においては、データ受信後に所定の動作、例えば、送信動作に移行することで、一連の操作を簡略化してユーザの負担を軽減する技術が知られている。例えば、携帯端末間の名刺交換として、他端末からの名刺データ受信待ちの状態において受信を受け付けると、受信した端末ＩＤと名刺データを登録し、自己端末ＩＤと自己名刺データを他端末に送信する技術が開示されている（例えば、特許文献１参照）。
【０００４】
【特許文献１】特開平０８−３２９０１７号公報
【発明の開示】
【発明が解決しようとする課題】
【０００５】
しかしながら、上記従来技術（特許文献１）では、このような携帯端末は、送受信するデータを名刺データに特化しているため、他のデータを送受信することができないという問題がある。また、他のデータを送信する場合には、ユーザ操作によって送信したいデータを選択しなければならず、操作が煩雑になってしまうという問題がある。
【０００６】
そこで本発明は、通信相手から送信されたデータを受信した際の受信結果に応じて適切な送信データを適切な通信相手に容易に送信することができる通信端末装置及び通信プログラムを提供することを目的とする。
【課題を解決するための手段】
【０００７】
上記目的達成のため、請求項１記載の発明による通信端末装置は、通信相手から送信されたデータを受信する受信手段と、前記受信手段によって受信されたデータの種別を検出する検出手段と、予め記憶されている複数のデータの中から、前記検出手段によって検出されたデータの種別に対応付けられている送信データを特定する特定手段と、前記特定手段によって特定された送信データを送信するか否かを確認する確認情報を表示する表示手段と、前記表示手段によって表示された確認情報に基づいて、送信データの送信を指示する指示手段と、前記指示手段によって送信が指示された場合に、前記受信手段によって受信した通信相手に対して、前記特定手段によって特定された送信データを送信する送信手段とを備えることを特徴とする。
【０００８】
上記目的達成のため、請求項２記載の発明による通信端末装置は、通信相手から送信されたデータを受信する複数の受信手段と、前記複数の受信手段のいずれかによってデータを受信した場合に、そのデータの受信に用いられた受信手段を検出する検出手段と、予め記憶されている複数のデータの中から、前記検出手段によって検出された受信手段に対応付けられている送信データを特定する特定手段と、前記特定手段によって特定された送信データを送信するか否かを確認する確認情報を表示する表示手段と、前記表示手段によって表示された確認情報に基づいて、送信データの送信を指示する指示手段と、前記指示手段によって送信が指示された場合に、前記受信手段によって受信した通信相手に対して、前記特定手段によって特定された送信データを送信する送信手段とを備えることを特徴とする。
【００１４】
また、好ましい態様として、例えば請求項３記載のように、請求項１または２に記載の通信端末装置において、送信データを送信する通信相手の変更を指示する通信相手変更指示手段を更に備え、前記送信手段は、前記通信相手変更指示手段から変更指示があった場合、前記特定手段によって特定された送信データを、変更指示があった通信相手に対して送信するようにしてもよい。
【００１５】
また、好ましい態様として、例えば請求項４記載のように、請求項１または２に記載の通信端末装置において、前記送信手段を含む複数の送信手段と、送信データを送信するために用いる送信手段の変更を指示する送信手段変更指示手段とを更に備え、前記送信手段変更指示手段から変更指示があった場合、変更指示があった送信手段によって、前記特定手段によって特定された送信データを送信するようにしてもよい。
【００１６】
また、上記目的達成のため、請求項５記載の発明による通信プログラムは、通信端末装置の通信プログラムであって、コンピュータに、通信相手から送信されたデータを受信する受信機能、前記受信されたデータの種別を検出する検出機能、予め記憶されている複数のデータの中から、前記検出されたデータの種別に対応付けられている送信データを特定する特定機能、前記特定された送信データを送信するか否かを確認する確認情報を表示する表示機能、前記表示された確認情報に基づいて、送信データの送信を指示する指示機能、前記送信が指示された場合に、前記受信したデータの通信相手に対して、前記特定された送信データを送信する送信機能を実現させることを特徴とする。
また、上記目的達成のため、請求項６記載の発明による通信プログラムは、通信端末装置の通信プログラムであって、コンピュータに、通信相手から送信されたデータを受信する複数の受信機能、前記複数の受信機能のいずれかによってデータを受信した場合に、そのデータの受信に用いられた受信機能を検出する検出機能、予め記憶されている複数のデータの中から、前記検出された受信機能に対応付けられている送信データを特定する特定機能、前記特定された送信データを送信するか否かを確認する確認情報を表示する表示機能、前記表示された確認情報に基づいて、送信データの送信を指示する指示機能、前記送信が指示された場合に、前記受信したデータの通信相手に対して、前記特定された送信データを送信する送信機能を実現させることを特徴とする。
【発明の効果】
【００１７】
この発明によれば、通信相手から送信されたデータを受信した際の受信結果に応じて、適切な送信データを適切な通信相手に容易に送信することができるという利点が得られる。
【発明を実施するための最良の形態】
【００１８】
以下、本発明の実施の形態を、図面を参照して説明する。
【００１９】
Ａ．実施形態の構成
図１は、本発明の実施形態による通信端末装置の構成を示すブロック図である。図において、通信端末装置１−１、１−２は、例えば、携帯電話などからなり、基地局２、３及び交換機４、５を介して移動体通信網６に接続し、相互に通信が可能となっている。また、通信端末装置１−１、１−２は、アクセスポイント７を介してインターネット８に接続し、相互に通信が可能となっているとともに、インターネット８上で提供される情報、例えば、Ｗｅｂページなどを閲覧可能となっている。また、通信端末装置１−１、１−２は、近距離において、赤外線通信によりデータの送受信が可能となっている。なお、図示していないが、移動体通信網６とインターネット８も相互に通信可能に接続されている。
【００２０】
次に、図２は、本実施形態による通信端末装置１−１、１−２の構成を示すブロック図である。なお、以下において、通信端末装置１−１、１−２を総称して通信端末装置１として説明する。図において、通信端末装置１は、移動体通信部１０−１、無線ＬＡＮ通信部１０−２、赤外線通信部１０−３、音声信号処理部１０−４、表示部１０−５、操作部１０−６、ＲＴＣ１０−７、ＲＯＭ１０−８、ＲＡＭ１０−９及び中央制御部１０−１０からなる。
【００２１】
移動体通信部１０−１は、図１に示す基地局２、３から移動体通信網６に接続し、他の通信端末装置との間で、音声通信や、各種データ送受信などを行う。無線ＬＡＮ通信部１０−２は、図１に示すアクセスポイント７からインターネット８に接続して情報の送受信を行う。赤外線通信部１０−３は、通信端末装置間で赤外線通信によりデータの送受信を行う。音声信号処理部１０−４は、マイク１０−４−１からの音声を取り込み、デジタル信号に変換して中央制御部１０−１０に供給する一方、音声信号をアナログ信号に変換してスピーカ１０−４−２から出力する。
【００２２】
表示部１０−５は、液晶表示器などからなり、各種メッセージや、画像などを表示する。操作部１０−６は、電話番号や、各種データ、動作指示などを入力する。ＲＴＣ１０−７は、実時間を計時する。ＲＯＭ１−８は、所定のプログラムや各種パラメータなどを記憶する。
【００２３】
ＲＡＭ１０−９は、各種データを記憶する。特に、本実施形態では、ＲＡＭ１０−９は、プロフィール記憶部１０−９−１、スケジュール記憶部１０−９−２、画像記憶部１０−９−３、受信結果記憶部１０−９−４、特定条件記憶部１０−９−５、アドレス帳記憶部１０−９−６、及びメール記憶部１０−９−７を備えている。プロフィール記憶部１０−９−１は、通信端末装置１を使用するユーザの個人情報を記憶する。スケジュール記憶部１０−９−２は、いつ何を行うかというスケジュールを記憶する。
【００２４】
画像記憶部１０−９−３は、画像データと該画像データに関する情報の一覧を記憶する。受信結果記憶部１０−９−４は、通信相手からデータを受信した際の受信結果に関する情報を記憶する。特定条件記憶部１０−９−５は、受信結果（受信データの種別、受信で利用した通信手段、通信相手、受信時刻、受信データに含まれる情報）に基づいて、予め記憶されているデータの中から送信データを特定するための対応表を記憶する。アドレス帳記憶部１０−９−６は、通信相手の名前、電話番号、メールアドレス等を記憶する。メール記憶部１０−９−７は、送受信したメールを記憶する。
【００２５】
中央制御部１０−１０は、ＲＯＭ１０−８に記憶されているプログラムを実行し、各部の動作を制御する。特に、本実施形態では、中央制御部１０−１０は、受信データの受信結果（受信データの種別、受信で利用した通信手段、通信相手、受信時刻、受信データに含まれる情報）を検出し、該受信結果に基づいて、特定条件記憶部１０−９−５に予め記憶されているデータの中から送信データを特定し、特定された送信データを送信するか否かを確認する確認画面を表示部１０−５に表示させ、ユーザ操作によって、送信データの送信が指示されると、特定された送信データを通信相手に送信するようになっている。
【００２６】
次に、図３は、プロフィール記憶部１０−９−１に記憶されるデータ例を示す概念図である。図において、プロフィール記憶部１０−９−１は、通信端末装置１を使用するユーザの個人情報として、名前、電話番号、メールアドレス、自宅住所、勤務先名などを記憶する。
【００２７】
図４は、スケジュール記憶部１０−９−２に記憶されるデータ例を示す概念図である。図において、スケジュール記憶部１０−９−２は、日時、内容、作成者などからなる情報をスケジュールＩＤ毎に記憶する。「作成者」は、当該通信端末装置１のユーザ自身が登録した場合には、ユーザ自身の名前となり、通信相手から受信して記憶した場合には、その相手の名前となる。
【００２８】
図５は、画像記憶部１０−９−３に記憶されるデータ例を示す概念図である。図において、画像記憶部１０−９−３は、画像データのタイトル、記憶日時（記憶させた日時。撮影日時やダウンロードした日時などでもよい）、実データ（画像データ自体：静止画でも動画でもよい）、作成者、送信相手などからなる。「作成者」は、スケジュールと同様に、当該通信端末装置１のユーザ自身が作成した場合には、ユーザ自身の名前となり、通信相手から受信して記憶した場合には、その相手の名前となる。また、「送信相手」は、他の通信相手に送信する場合に相手を指定するための情報（相手の名前）であるが、相手が特定の１人である場合には、通信相手に送信する旨を示すフラグであってもよい。
【００２９】
図６は、受信結果記憶部１０−９−４に記憶されるデータ例を示す概念図である。図において、受信結果記憶部１０−９−４は、通信相手から受信したデータの受信データ種別（プロフィール、スケジュール、メール、画像データなど）、通信手段（無線ＬＡＮ通信、赤外線通信など）、受信時刻、通信相手、添付データ種別（受信データに添付データがある場合）、受信データ内時刻を記憶する。
【００３０】
図７は、特定条件記憶部１０−９−５に記憶されるデータ例を示す概念図である。図において、特定条件記憶部１０−９−５は、設定フラグ、名称、内容からなる。設定フラグは、「０」、「１」のいずれかの状態をとり、送信データを特定する際に用いられない場合に「０」、送信データを特定する際に用いられる場合に「１」となる。名称としては、データ種別、通信手段、受信時刻、相手指定時刻、通信相手がある。データ種別は、受信データの種別に対する送信データの種別を示し、図示の例では、プロフィールデータを受信した場合には、プロフィールデータを送信し、スケジュールデータを受信した場合には、やはりスケジュールデータを送信し、メールデータを受信した場合には、メールの添付データと同じ種別のデータを送信するように設定されている。
【００３１】
通信手段は、データ受信時の通信手段に対する送信データの種別を示し、図示の例では、無線ＬＡＮ通信によりデータ受信した場合には、画像データを送信し、赤外線通信によりデータ受信した場合には、プロフィールデータを送信するように設定されている。また、受信時刻は、受信データを受信した時刻に対する送信データを示し、図示の例では、受信時刻から１週間以内のスケジュールデータを送信するように設定されている。
【００３２】
相手指定時刻は、受信したデータに含まれる時刻情報（スケジュールデータに含まれる時刻やメールの本文に含まれる時刻など）に対する送信データを示し、図示の例では、受信データに含まれる時刻の前後３日のスケジュールデータを送信するように設定されている。通信相手は、受信データの通信相手に対する送信データを示し、図示の例では、Ａさんから受信した場合には、Ａさんが含まれるスケジュールデータを送信し、Ｂさんから受信した場合には、画像データを送信し、ＡさんとＢさん以外から受信した場合には、プロフィールデータを送信するように設定されている。
【００３３】
Ｂ．実施形態の動作
次に、上述した実施形態の動作について説明する。ここで、図８、図９及び図１１乃至図１５は、通信端末装置１の動作を説明するためのフローチャートである。また、図１０及び図１６は、通信端末装置１の表示例を示す模式図である。
【００３４】
図８は、本実施形態による通信端末装置１の動作を説明するためのフローチャート（メインルーチン）である。まず、電源オンが操作されたか否かを判断し（ステップＳ１０）、電源がオンされると、待ち受け画面を表示し、各種操作、着信などを待機する待受状態とする（ステップＳ１２）。待受状態において、データ登録操作があったか否かを判断し（ステップＳ１４）、データ登録操作があった場合には、データ登録処理を行う（ステップＳ１６）。該データ登録処理では、プロフィール、スケジュール、アドレス帳の登録、画像の撮影や、ダウンロードなどを行う。
【００３５】
一方、待受状態において、データ登録操作がなかった場合には、設定操作があったか否かを判断し（ステップＳ１８）、設定操作があった場合には、図７に示す特定条件記憶部１０−９−５の特定条件の設定処理を行う（ステップＳ２０）。
【００３６】
また、待受状態において、移動体通信、無線ＬＡＮ通信、または赤外線通信によるデータ送信操作があった場合には（ステップＳ２２、ＹＥＳ）、ユーザに送信データを指定させ（ステップＳ２４）、さらに、送信手段を指定させ（ステップＳ２６）、上記指定された送信データを指定された送信手段により送信する（ステップＳ２８）。
【００３７】
また、待受状態において、移動体通信、無線ＬＡＮ通信、または赤外線通信によるデータ受信を検出した場合には（ステップＳ３０、ＹＥＳ）、データ受信処理を行う（ステップＳ３２）。
【００３８】
また、待受状態において、音声着信が検出された場合には（ステップＳ３４、ＹＥＳ）、通常の音声着信処理を行う（ステップＳ３６）。また、待受状態において、電源オフ操作があった場合には（ステップＳ３８、ＹＥＳ）、電源オフ処理を行う（ステップＳ４０）。また、待受状態において、音声発信操作など、その他の操作があった場合には（ステップＳ４２、ＹＥＳ）、操作に応じたその他の処理を行う（ステップＳ４４）。
【００３９】
次に、図９は、上述したデータ受信処理（ステップＳ３２）の動作を説明するためのフローチャートである。データ受信処理では、まず、データを受信し（ステップＳ５０）、受信結果検出処理を行い（ステップＳ５２）、受信完了画面を表示する（ステップＳ５４）。次に、図１０に示すように、受信データ記憶確認画面を表示する（ステップＳ５６）。該受信データ記憶確認画面には、受信データの内容、通信相手、通信手段が表示され、画面下部には、受信したデータを記憶するか否かを選択させるための「はい」、「いいえ」ボタンが表示される。ユーザは、受信データを記憶させる場合には、「はい」を選択し、受信データを記憶させない場合には、「いいえ」を選択する。
【００４０】
そして、上記受信データ記憶確認画面において、「はい」が選択操作されたか否かを判断し（ステップＳ５８）、「はい」が操作された場合には、受信データを記憶する（ステップＳ６０）。受信したデータがプロフィールデータの場合には、アドレス帳記憶部１０−９−６に記憶し、スケジュールデータの場合には、スケジュール記憶部１０−９−２に記憶し、画像データの場合には、画像記憶部１０−９−３に記憶し、メールの場合には、メール記憶部１０−９−７に記憶する。次に、受信結果に応じて送信データを特定する送信データ特定処理を行い（ステップＳ６２）、送信データを送信するための送信データ送信処理を行う（ステップＳ６４）。
【００４１】
次に、図１１は、上述した受信結果検出処理（ステップＳ５２）の動作を説明するためのフローチャートである。受信結果検出処理では、まず、受信データの種別を検出して記憶し（ステップＳ７０）、通信手段を検出して記憶し（ステップＳ７２）、受信時刻（ＲＴＣ１０−７による現在時刻）を検出して記憶する（ステップＳ７４）。次に、通信相手を検出して記憶し（ステップＳ７６）、受信データがメールの場合に、添付データがあれば、その添付データの種別を検出して記憶し（ステップＳ７８）、さらに、受信データ内に含まれる時刻、すなわち、受信データ内時刻があれば、その時刻を検出して記憶する（ステップＳ８０）。その後、メインルーチンに戻る。
【００４２】
次に、図１２乃至図１４は、上述した送信データ特定処理（ステップＳ６２）の動作を説明するためのフローチャートである。送信データ特定処理では、まず、設定フラグが「１」の特定条件を読み出し（ステップＳ９０）、「データ種別」であるか否かを判断する（ステップＳ９２）。そして、読み出した特定条件が「データ種別」であった場合には、受信結果記憶部１０−９−４に記憶されている受信結果からデータ種別を読み出し（ステップＳ９４）、プロフィールデータであるか否かを判断する（ステップＳ９６）。そして、受信データのデータ種別がプロフィールデータであった場合には、特定条件記憶部１０−９−５の内容に従って、プロフィール記憶部１０−９−１に記憶されている自身のプロフィールデータを送信データとして特定する（ステップＳ９８）。
【００４３】
一方、受信データのデータ種別がプロフィールデータでない場合には、スケジュールデータであるか否かを判断する（ステップＳ１００）。そして、受信データのデータ種別がスケジュールデータである場合には、ＲＴＣ１０−７により現在時刻を取得し（ステップＳ１０２）、特定条件記憶部１０−９−５の内容に従って、現在時刻から１週間以内のスケジュールデータを送信データとして特定する（ステップＳ１０４）。
【００４４】
また、受信データのデータ種別がプロフィールデータでも、スケジュールデータでもない場合には、メールデータであるか否かを判断する（ステップＳ１０６）。そして、受信データのデータ種別がメールデータである場合には、受信結果から添付データの種別情報を読み出し（ステップＳ１０８）、添付データがプロフィールデータであるか否かを判断する（ステップＳ１１０）。ここで、添付データがプロフィールデータである場合には、ステップＳ９８に進み、自身のプロフィールデータを送信データとして特定する。
【００４５】
一方、添付データがプロフィールデータでない場合には、スケジュールデータであるか否かを判断し（ステップＳ１１２）、添付データがスケジュールデータである場合には、ステップＳ１０２に進み、現在時刻を取得し、ステップＳ１０４で、現在時刻から１週間以内のスケジュールデータを送信データとして特定する。なお、この場合、所定期間内のスケジュールデータに限らず、予めユーザが指定したスケジュールデータでもよいし、全てのスケジュールデータでもよい。
【００４６】
また、メールの添付データがプロフィールデータでもスケジュールデータでもない場合（ステップＳ１１２のＮＯ）、あるいは、受信データのデータ種別がプロフィールデータでも、スケジュールデータでも、メールデータでもない場合（ステップＳ１０６のＮＯ）には、何もせず当該処理を終了し、図９に示すデータ受信処理に戻る。
【００４７】
一方、ステップＳ９２で、設定フラグが「１」の特定条件が「データ種別」でない場合には、「通信手段」であるか否かを判断する（ステップＳ１１４）。そして、「通信手段」である場合には、受信結果記憶部１０−９−４に記憶されている受信結果から「通信手段」を読み出し（ステップＳ１１６）、データ受信に用いられた「通信手段」が無線ＬＡＮ通信であるか否かを判断する（ステップＳ１１８）。そして、「通信手段」が無線ＬＡＮ通信である場合には、特定条件記憶部１０−９−５の内容に従って、作者が鈴木○○の画像データを送信データとして特定し（ステップＳ１２０）、当該処理を終了し、図９に示すデータ受信処理に戻る。なお、ステップＳ１２０では、ユーザ自身が作成した画像データに限らず、予めユーザが指定した画像データでもよいし、全ての画像データでもよい。
【００４８】
一方、データ受信に用いられた「通信手段」が無線ＬＡＮ通信でない場合には、赤外線通信であったか否かを判断し（ステップＳ１２２）、「通信手段」が赤外線通信であった場合には、特定条件記憶部１０−９−５の内容に従って、プロフィール記憶部１０−９−１に記憶されている自身のプロフィールデータを送信データとして特定する（ステップＳ１２４）。また、データ受信に用いられた「通信手段」が無線ＬＡＮ通信でも、赤外線通信でもない場合には、当該処理を終了し、図９に示すデータ受信処理に戻る。
【００４９】
また、ステップＳ１１４で、設定フラグが「１」の特定条件が「通信手段」でない場合には、「受信時刻」であるか否かを判断する（ステップＳ１２６）。そして、「受信時刻」である場合には、受信結果記憶部１０−９−４に記憶されている受信結果から「受信時刻」を読み出し（ステップＳ１２８）、特定条件記憶部１０−９−５の内容に従って、受信データの「受信時刻」から１週間以内のスケジュールデータを送信データとして特定し（ステップＳ１３０）、当該処理を終了し、図９に示すデータ受信処理に戻る。
【００５０】
一方、ステップＳ１２６で、設定フラグが「１」の特定条件が「受信時刻」でない場合には、「相手指定時刻」であるか否かを判断する（ステップＳ１３２）。そして、「相手指定時刻」である場合には、受信結果記憶部１０−９−４に記憶されている受信結果から「受信データ内時刻」を読み出し（ステップＳ１３４）、特定条件記憶部１０−９−５の内容に従って、受信データ内時刻の前後３日のスケジュールデータを送信データとして特定し（ステップＳ１３６）、当該処理を終了し、図９に示すデータ受信処理に戻る。
【００５１】
また、ステップＳ１３２で、設定フラグが「１」の特定条件が「相手指定時刻」でない場合には、「通信相手」であるので（図７を参照）、受信結果記憶部１０−９−４に記憶されている受信結果から「通信相手」を読み出し（ステップＳ１３８）、「通信相手」が「Ａさん」であるか否かを判断し（ステップＳ１４０）、「通信相手」が「Ａさん」であった場合には、特定条件記憶部１０−９−５の内容に従って、「Ａさん」を内容に含むスケジュールデータを送信データとして特定し（ステップＳ１４２）、当該処理を終了し、図９に示すデータ受信処理に戻る。なお、ステップＳ１４２では、通信相手を内容に含むスケジュールデータに限らず、通信相手とスケジュールデータとを予め対応付けて記憶させておき、その対応付けられているスケジュールデータでもよい。
【００５２】
また、「通信相手」が「Ａさん」でない場合には、「Ｂさん」であるか否かを判断し（ステップＳ１４４）、「通信相手」が「Ｂさん」である場合には、特定条件記憶部１０−９−５の内容に従って、送信相手がＢさんの画像データ（図５を参照）を送信データとして特定し（ステップＳ１４６）、当該処理を終了し、図９に示すデータ受信処理に戻る。
【００５３】
また、「通信相手」が「Ａさん」でも「Ｂさん」でもなかった場合には、特定条件記憶部１０−９−５の内容に従って、プロフィール記憶部１０−９−１に記憶されている自身のプロフィールデータを送信データとして特定し（ステップＳ１４８）、当該処理を終了し、図９に示すデータ受信処理に戻る。
【００５４】
次に、図１５は、上述した送信データ送信処理（図９のステップＳ６４）の動作を説明するためのフローチャートである。送信データ送信処理では、まず、上述した送信データ特定処理によって送信データが特定されたか否かを判断する（ステップＳ１５０）。そして、送信データが特定されていない場合には、何もせずに当該処理を終了し、図９のデータ受信処理に戻る。
【００５５】
一方、送信データが特定されている場合には、図１６に示す送信データ送信確認画面を表示する（ステップＳ１５２）。該送信データ送信確認画面には、送信データの内容、通信相手、通信手段が表示され、画面下部には、送信データを送信するか否かを選択させるための「はい」、「いいえ」、及び通信相手、もしくは通信手段を変更するための「変更」ボタンが表示される。ユーザは、送信データを送信する場合には、「はい」を選択し、送信データを送信しない場合には、「いいえ」を選択し、通信相手、もしくは通信手段を変更する場合には、「変更」を選択する。
【００５６】
そして、上記受送信データ送信確認画面において、「はい」が選択操作されたか否かを判断し（ステップＳ１５４）、「はい」が選択操作された場合には、特定された送信データを送信し（ステップＳ１５６）、連続送信確認画面を表示する（ステップＳ１５８）。該連続送信確認画面では、通信相手を変更したり、通信手段を変更したりして連続送信するか、しないかを確認するようになっている。
【００５７】
連続送信確認画面において、「はい」が選択操作されたか否かを判断し（ステップＳ１６０）、「はい」が選択操作されなかった場合、すなわち、「いいえ」が選択操作された場合には、連続送信を行うことなく、当該処理を終了し、図９に示す送信データ送信処理に戻る。一方、連続送信確認画面において、「はい」が選択操作された場合には、通信相手、もしくは通信手段を変更すべく、後述するステップＳ１６４に進む。
【００５８】
また、送信データ送信確認画面において、「はい」が選択操作されなかった場合には（ステップＳ１５４のＮＯ）、「いいえ」が選択操作されたか否かを判断し（ステップＳ１６２）、「いいえ」が選択操作された場合には、送信データを送信することなく、当該処理を終了し、図９のデータ受信処理に戻る。
【００５９】
また、送信データ送信確認画面において、「はい」も「いいえ」も選択操作されなかった場合、すなわち「変更」が選択操作された場合、あるいは、上述したステップＳ１６０で、「はい」が選択操作された場合には、通信相手の変更操作であるか、通信手段の変更操作であるかを判断し（ステップＳ１６４）、通信相手の変更操作である場合には、通信相手を選択させ（ステップＳ１６６）、通信手段の変更操作である場合には、通信手段を選択させ（ステップＳ１６８）、ステップＳ１５２に戻って送信データ送信確認画面を表示し、以降、上述した動作を繰り返す。
【００６０】
上述した実施形態よれば、通信相手から送信されたデータを受信した受信結果に基づいて送信データを特定し、該特定した送信データを通信相手に送信するようにしたので、受信結果に応じた適切な送信データを、その通信相手に対して容易に送信することができる。
【００６１】
また、送信データを送信する前に、特定された送信データを送信するか否かを確認する確認情報を表示するようにしたので、特定された送信データが適切か否か、通信相手に送信するか否かをユーザが容易に確認することができる。
【００６２】
また、例えば、受信したデータと同じ種別のデータを送信データとして特定する、受信したデータと関連する種別のデータを送信データとして特定するというように、受信したデータの種別に応じて送信データを特定するようにしたので、受信したデータの種別に応じて適切なデータを容易に送信することができる。
【００６３】
また、例えば、データ受信に用いた通信手段の通信能力に応じたサイズのデータを送信データとして特定する、端末間直接通信であればプライベートなデータを送信データとして特定するというように、データ受信に用いた通信手段に応じて送信データを特定するようにしたので、受信した通信手段に応じて適切なデータを容易に送信することができる。
【００６４】
また、例えば、受信時刻近辺のスケジュールデータを送信データとして特定する、受信時刻近辺に作成されたデータを送信データとして特定するというように、受信時刻に応じて送信データを特定するようにしたので、受信時刻に応じて適切なデータを容易に送信することができる。
【００６５】
また、例えば、親しい人にはプライベートなデータを送信データとして特定する、その人とよく交換している種別のデータを送信データとして特定するというように、通信相手に応じて送信データを特定するようにしたので、通信相手に応じて適切なデータを容易に送信することができる。
【００６６】
また、例えば、メールに添付されているデータと同じ種別のデータを送信データとして特定する、受信したデータに含まれる時刻近辺のスケジュールデータを送信データとして特定する、受信したデータに含まれる人物名が含まれているデータを送信データとして特定するというように、受信したデータに含まれる情報に応じて送信データを特定するようにしたので、受信データに含まれる情報に応じて適切なデータを容易に送信することができる。
【００６７】
また、データ送信時に送信データ送信確認画面から通信相手を変更可能にしたことにより、特定されたデータを、受信した通信相手以外の通信相手にも容易に送信することができる。
【００６８】
また、データ送信時に送信データ送信確認画面から通信手段を変更可能にしたことにより、特定されたデータを、受信した通信手段以外でも容易に送信することができる。
【００６９】
なお、上述した実施形態においては、通信手段は、移動体通信、無線ＬＡＮ通信、赤外線通信に限らない。その他の無線通信でも良いし、有線通信でも良い。また、データは、プロフィールデータ、スケジュールデータ、画像データに限らない。また、受信時刻や相手指定時刻に応じて送信するデータの種別は、スケジュールデータに限らない。例えば、スケジュールデータ以外のデータでも、データを記憶した時刻や、（画像データでは）撮影した時刻でデータを特定するようにしても良い。また、通信端末装置は、携帯電話に限らず、例えば、通信機能を備えたノート型ＰＣ、ＰＤＡ、電子カメラ、電子腕時計、音楽再生機などにも同様に適用可能である。
【図面の簡単な説明】
【００７０】
【図１】本発明の実施形態による通信端末装置の構成を示すブロック図である。
【図２】本実施形態による通信端末装置１−１、１−２の構成を示すブロック図である。
【図３】プロフィール記憶部１０−９−１に記憶されるデータ例を示す概念図である。
【図４】スケジュール記憶部１０−９−２に記憶されるデータ例を示す概念図である。
【図５】画像記憶部１０−９−３に記憶されるデータ例を示す概念図である。
【図６】受信結果記憶部１０−９−４に記憶されるデータ例を示す概念図である。
【図７】特定条件記憶部１０−９−５に記憶されるデータ例を示す概念図である。
【図８】本実施形態による通信端末装置１の動作を説明するためのフローチャート（メインルーチン）である。
【図９】データ受信処理（ステップＳ３２）の動作を説明するためのフローチャートである。
【図１０】受信データ記憶確認画面の一例を示す模式図である。
【図１１】受信結果検出処理（ステップＳ５２）の動作を説明するためのフローチャートである。
【図１２】送信データ特定処理（ステップＳ６２）の動作を説明するためのフローチャートである。
【図１３】送信データ特定処理（ステップＳ６２）の動作を説明するためのフローチャートである。
【図１４】送信データ特定処理（ステップＳ６２）の動作を説明するためのフローチャートである。
【図１５】送信データ送信処理（図９のステップＳ６４）の動作を説明するためのフローチャートである。
【図１６】送信データ送信確認画面の一例を示す模式図である。
【符号の説明】
【００７１】
１、１−１、１−２  通信端末装置
２、３  基地局
４、５  交換機
６  移動体通信網
７  アクセスポイント
８  インターネット
１０−１  移動体通信部
１０−２  無線ＬＡＮ通信部
１０−３  赤外線通信部
１０−４  音声信号処理部
１０−５  表示部
１０−６  操作部
１０−７  ＲＴＣ
１０−８  ＲＯＭ
１０−９  ＲＡＭ
１０−１０  中央制御部
１０−９−１  プロフィール記憶部
１０−９−２  スケジュール記憶部
１０−９−３  画像記憶部
１０−９−４  受信結果記憶部
１０−９−５  特定条件記憶部
１０−９−６  アドレス帳記憶部
１０−９−７  メール記憶部
【図１】
0004548854.tif 000002
【図２】
0004548854.tif 000003
【図３】
0004548854.tif 000004
【図４】
0004548854.tif 000005
【図５】
0004548854.tif 000006
【図６】
0004548854.tif 000007
【図７】
0004548854.tif 000008
【図８】
0004548854.tif 000009
【図９】
0004548854.tif 000010
【図１０】
0004548854.tif 000011
【図１１】
0004548854.tif 000012
【図１２】
0004548854.tif 000013
【図１３】
0004548854.tif 000014
【図１４】
0004548854.tif 000015
【図１５】
0004548854.tif 000016
【図１６】
0004548854.tif 000017